(57)【要約】【課題】脱硝触媒の性能を阻害する排ガス中の鉄（Ｆｅ）分を効果的に除去する排煙処理設備を提案すること。【解決手段】石炭の燃焼装置１の出口と排煙脱硝装置３の間の排ガスが鉛直方向上方に上昇する煙道２（３５０〜５００℃）にサイクロン集塵機４を設け、サイクロン集塵機４の前流側の煙道２内に還元剤(アンモニア, アンモニア水, 尿素水等)の注入ノズル５を設け、該サイクロン集塵機４でボイラ排ガス中の鉄（Ｆｅ）成分の含有量の多い灰及び塊状のポップコーンアッシュなどの比較的重い灰が粗取り可能となり、脱硝装置３内の脱硝触媒上への鉄（Ｆｅ）、硫酸鉄（ＦｅＳＯ4）の付着による経時的な性能低下、脱硝触媒の摩耗及び圧力損失の上昇を著しく抑制できる。【選択図】図１
2008241061.tif 000002
【特許請求の範囲】
【請求項１】
石炭の燃焼装置から排出する排ガス中の窒素酸化物を除去する排煙脱硝装置を有する排煙処理設備において、
燃焼装置出口と排煙脱硝装置の間の煙道にサイクロン集塵機を設けたことを特徴とする排煙処理設備。
【請求項２】
サイクロン集塵機を燃焼装置出口と排煙脱硝装置の間の煙道の中で、排ガスが鉛直方向上方に上昇する煙道の最下部に設けたことを特徴とする請求項１記載の排煙処理設備。
【請求項３】
サイクロン集塵機の前流側の煙道内に排煙脱硝に使用する還元剤の注入ノズルを設けたことを特徴とする請求項１または２記載の排煙処理設備。
【請求項４】
サイクロン集塵機及び還元剤注入ノズルの後流側の煙道に整流板を設けたことを特徴とする請求項１〜３のいずれかに記載の排煙処理設備。
【発明の詳細な説明】
【技術分野】
【０００１】
本発明は、火力発電所用のボイラなどの石炭の燃焼設備の排ガスを処理する排煙脱硝装置を有した排煙処理設備に関するものである。
【背景技術】
【０００２】
石炭を使用するボイラ等の燃焼設備からの排出ガス中には、光化学スモッグや酸性雨の原因物質である窒素酸化物（ＮＯｘ）や硫黄酸化物（ＳＯｘ）が含まれている。  
排ガス処理システムには、図５に示す高ダスト方式のシステムがあり、ボイラ１からの高ダスト含有排ガスを先ず排煙脱硝装置３に導入して脱硝触媒で窒素酸化物を除去し、さらに空気予熱器８でボイラ燃焼用空気を予熱する代わりに排ガスを低温化し、次いで低温電気集塵機４’で煤塵を除去し、さらに排ガス中の硫黄酸化物を脱硫装置９で取り除き、煙突１０から排出する方式である。
【０００３】
また、図６には低ダスト方式の排ガス処理システムを示し、ボイラ排ガスを先ず高温電気集塵機４に導入して煤塵を除去して排ガスを低ダスト化し、次いで排煙脱硝装置３で脱硝触媒により窒素酸化物を除去し、さらに空気予熱器８でボイラ燃焼用空気を予熱しながら排ガスを低温化し、次いで低温化された排ガス中の硫黄酸化物を脱硫装置９で取り除き、煙突１０から排出する方式である。
【０００４】
上記図５，図６に示す排煙脱硝装置３で行われるＮＯｘの効果的な除去方法としては、アンモニア（ＮＨ3）等を還元剤とした選択的接触還元による排煙脱硝法が火力発電所を中心に幅広く用いられている。
【０００５】
選択的接触還元用の触媒には、バナジウム（Ｖ）、モリブデン（Ｍｏ）又はタングステン（Ｗ）を活性成分として酸化チタン（ＴｉＯ2）を担体としたものが主に使用されており、特に活性成分の１つとしてバナジウムを含むものは活性が高いだけでなく、排ガス中に含まれている不純物による劣化が小さいこと及びより低温から使用できることなどから現在の脱硝触媒の主流になっている。石炭燃焼排ガスの排煙脱硝装置の場合には排ガス中に含有されるダストによる詰りを防止するために触媒は特にハニカム状、板状に成形されて用いられ各種製造法が提案されてきた。
【０００６】
近年、燃料事情により石炭を主体とする発電設備が増加しているが、発電コストの低減対策により低廉・低質炭を使用する場合が多い。このような炭種は、ボイラ等の燃焼設備に悪影響を及ぼすだけでなく、排ガス処理システムにも影響を及ぼす。
【０００７】
前記低廉・低質炭の成分上、鉄（Ｆｅ）含有量の多い灰が排ガス中に含まれていることが多い。  
主に採用されている高ダスト方式の排ガス処理システム（図５）の場合、ボイラ後流に設置されている排煙脱硝装置内の脱硝触媒がボイラ起動停止時に吸湿することによって、灰中に含まれる鉄（Ｆｅ）が脱硝触媒に付着することが分かっている。鉄（Ｆｅ）は酸化活性を有しているため、脱硝触媒に付着した鉄（Ｆｅ）がアンモニア（ＮＨ3）を酸化することによって脱硝性能を低下させる（特開２００５−１３７９８４号公報）。
【０００８】
さらに、排ガス中の二酸化硫黄（ＳＯ2）が酸化されて三酸化硫黄（ＳＯ3）が生成し、リークアンモニア（リークＮＨ3）と反応して酸性硫安を生じる。生じた酸性硫安は、後流機器である空気予熱器（Ａ／Ｈ）のエレメントに付着し閉塞問題を引き起こす。また、脱硝触媒上に付着した鉄（Ｆｅ）は、排ガス中又は触媒に吸着した硫黄（Ｓ）と反応してＦｅＳＯ4の形態となり、体積膨張することによって、脱硝触媒の細孔を閉塞させ、脱硝触媒内のガス拡散を抑制する。その結果、脱硝触媒の性能が低下するという悪影響も引き起こす。
【０００９】
その対策として排煙脱硝装置の前流に吸収剤を設置し、触媒毒成分を除去する方法も提案されている（特開昭６３−６５９３号公報）が、根本的な解決には至っていない。
【００１０】
一方、低ダスト方式の排ガス処理システム（図６）の場合、排煙脱硝装置の前流に高温電気集塵機（ＥＰ）が設置されているため排煙脱硝装置の前流で多くの灰が除去され、脱硝触媒への鉄（Ｆｅ）の付着は殆ど起こらず、また触媒の摩耗が低減されるという利点を有している。しかし、後流機器の運用についてみると、前流側の高温電気集塵機（ＥＰ）で灰が除去されるため、排ガス中の三酸化硫黄（ＳＯ3）による後流機器の腐食が起こり易いことや、排煙脱硝装置からのリークＮＨ3とともに酸性硫安を生じ、空気予熱器（Ａ／Ｈ）での閉塞を引き起こすなどの不都合がある。
【００１１】
上記いずれの方式の排ガス処理システムにおいても、図３に示すように排煙脱硝装置３の前流側に設けた還元剤注入ノズル５から排ガス中に還元剤が注入されるが、還元剤を均一に分散させる目的で還元剤注入ノズル５の後流に混合器（スタティックミキサー）７が設置される。
【００１２】
また、図４の排ガス処理システムに示すように、排煙脱硝装置３の前流の鉛直上昇煙道２に還元剤注入ノズル５を設けて、該還元剤注入ノズル５から還元剤（アンモニア、アンモニア水または尿素水）を事前に気化せずに直接排ガス中に噴霧する方法（直接噴霧法）の場合、噴霧した液体の還元剤を気化する目的及び還元剤を均一に分散させる目的で排煙脱硝装置３の前流の鉛直上昇煙道２に注入ノズル５を設けて滞留時間を稼ぐとともに、注入ノズル５の後流側に混合器７が設置される。
【００１３】
図３と図４の排ガス処理システムに示すように、還元剤注入ノズル５の後流側に混合器７を設けると、排ガスの圧力損失が大きくなり、排ガスを煙突から外部に排出するための誘引通風機（ＩＤＦ）の容量が大きくなるという不都合がある。
【００１４】
また、石炭の性質やボイラ１の運転条件によりポップコーンアッシュ（塊状灰；径数ｍｍ〜数十ｍｍ）が形成されることが多い。形成されたポップコーンアッシュが脱硝触媒に詰まることによって圧損が上昇してしまう。脱硝触媒内でのポップコーンアッシュの詰まりを起点として、その他の細かな灰が堆積することによって全体が詰まっていく。この対策として排煙脱硝装置上流側に金網などを設けてトラップするなどの対策が検討されているが十分ではない。
【００１５】
また、燃焼排ガス中のダストの中で、未燃分の多い、すなわち粒径の大きい（外表面積の小さな）フライアッシュが排煙脱硝装置の前流側の排ガス流路に設置したサイクロンで捕集され、ボイラに再循環ラインから戻され、一方、排ガス中のダストの中で未燃分の少ない、すなわち粒径の小さい（外表面積の大きな）フライアッシュはサイクロンで捕集されないで排煙脱硝装置の後流側の排ガス流路に設置した電気集塵機で捕集される構成が特開昭６２−２０４８３０号公報の第２図に開示されている。そしてこの排ガス処理装置は外表面積の大きい粒径の小さいフライアッシュに脱硝触媒の活性を阻害する揮発性金属化合物（Ｈｇ，Ｐｂ，Ａｓ，Ｃｄ等）を吸着させて除去する装置である。
【００１６】
また、特開２００２−２５７４８０号公報には、高炉、転炉からの鉄（Ｆｅ）分の多い排ガス中のＣＯ2を低減させるために、反応器２で鉄（Ｆｅ）分とＣＯ2を反応させて酸化鉄とした後に、サイクロンで鉄粉と酸化鉄を分離した後の排ガスを排ガス処理装置４で処理する方法が開示されている.
【特許文献１】特開２００５−１３７９８４号公報
【特許文献２】特開昭６２−２０４８３０号公報
【特許文献３】特開２００２−２５７４８０号公報
【発明の開示】
【発明が解決しようとする課題】
【００１７】
特開昭６２−２０４８３０号公報の図２には排煙脱硝装置の後流側に設けた電気集塵機などで捕集したフライアッシュ（外表面積の小さい未燃分の多いフライアッシュと外表面積の大きな未燃分の少ないフライアッシュの混合物からなる）を排煙脱硝装置の前流側に設けた噴霧ノズルから排ガス中に噴霧して外表面積の小さな、未燃分の多いフライアッシュをサイクロンで分離してボイラに再循環して再燃焼させ、また、外表面積の大きな未燃分の少ないフライアッシュ（揮発性金属化合物（Ｈｇ，Ｐｂ，Ａｓ，Ｃｄ等）を比較的多く吸着している）はサイクロンで捕捉されないので電気集塵機で捕集する方法が開示されている。
【００１８】
この方法では脱硝触媒の活性を阻害する揮発性金属化合物（Ｈｇ，Ｐｂ，Ａｓ，Ｃｄ等）は、外表面積の小さな（粒径の大きな）未燃分の多いフライアッシュには吸着され難く、外表面積の大きな（粒径の小さな）、未燃分の少ないフライアッシュに吸着され易いと記載されている。ところが前記特許文献２記載の発明では、電気集塵機は排煙脱硝装置の後流側に配置されているので、揮発性金属化合物を多く吸着した外表面積の大きな（粒径の小さな）未燃分の少ないフライアッシュが排煙脱硝装置を通過するので、排煙脱硝装置の触媒活性が低下するおそれがある。また、この発明には鉄分の除去についての記載は皆無である。
【００１９】
また、特開２００２−２５７４８０号公報に開示されているのは、高炉、転炉からの排ガス中の特別高濃度の鉄（Ｆｅ）分を利用して排ガス中のＣＯ2を低減させる方法であり、排ガスの脱硝などの処理時における鉄（Ｆｅ）分の影響についての記載は皆無である。
【００２０】
本発明の課題は、脱硝触媒の性能を阻害する排ガス中の鉄（Ｆｅ）分を効果的に除去する排煙処理設備を提案することである。
【課題を解決するための手段】
【００２１】
本発明の上記課題は次の解決手段により解決される。  
請求項１記載の発明は、石炭の燃焼装置の排ガス中の窒素酸化物を除去する排煙脱硝装置を有する排煙処理設備において、燃焼装置出口と排煙脱硝装置の間の煙道２にサイクロン集塵機を設けた排煙処理設備である。  
請求項２記載の発明は、サイクロン集塵機を燃焼装置出口と排煙脱硝装置の間の煙道２の中で、排ガスが鉛直方向上方に上昇する煙道の最下部(温度域３５０〜５００℃)に設けた請求項１記載の排煙処理設備である。
【００２２】
請求項３記載の発明は、サイクロン集塵機の前流側の煙道内に排煙脱硝に使用する還元剤(アンモニア, アンモニア水, 尿素水等)の注入ノズルを設けた請求項１または２記載の排煙処理設備である。  
請求項４記載の発明は、サイクロン集塵機及び還元剤注入ノズルの後流側の煙道に整流板を設けた請求項１〜３のいずれかに記載の排煙処理設備である。
【００２３】
なお、本発明で使用する脱硝触媒は前述したアンモニア（ＮＨ3）等を還元剤として用いるバナジウム（Ｖ）、モリブデン（Ｍｏ）又はタングステン（Ｗ）を活性成分として酸化チタン（ＴｉＯ2）を担体とした脱硝触媒である。
【００２４】
（作用）
本発明では、図１に示す通り石炭燃焼装置としてボイラ１の節炭器出口とボイラ排ガス煙道２内に配置される排煙脱硝装置３の間の、望ましくは温度域が３５０〜５００℃となる煙道２にサイクロン集塵機４を設置することによって、ボイラ排ガス中の鉄（Ｆｅ）成分の含有量の多い灰及び塊状のポップコーンアッシュなどの比較的重い灰が粗取り可能となる。
【００２５】
これによって、排煙脱硝装置３内の脱硝触媒上への鉄（Ｆｅ）、硫酸鉄（ＦｅＳＯ4）の付着による経時的な性能低下、脱硝触媒の摩耗及び圧力損失の上昇を著しく抑制できる。またこの場合、図６に示す低ダスト方式の排ガス処理システムにおける排煙脱硝装置３の前流側に配置した高温電気集塵機（ＥＰ）４で殆どの灰を除去する方式とは異なり、比較的重く粒径の大きい灰だけをサイクロン集塵機４で粗取りするため、比較的粒径が小さく軽い灰は排煙脱硝装置９などの後流機器へ流入することになる。したがって、脱硝触媒の空隙率（触媒ピッチ）を通常よりも小さくでき、触媒性能が向上する、あるいは触媒量を少なくできるという利点や、ＳＯ3による後流機器の腐食・酸性硫安による空気予熱器（Ａ／Ｈ）の閉塞を抑制できるという利点を有する。
【００２６】
なお、本発明と特開昭６２−２０４８３０号公報の第２図に示されている発明との相違点は次の通りである。  
本発明ではボイラ排ガス中の比較的重く粒径の大きい灰だけがサイクロン集塵機４で粗取りされる過程で、比較的重く粒径の大きい灰に多く含まれる鉄（Ｆｅ）成分がサイクロン集塵機４に回収される。一方、特開昭６２−２０４８３０号公報の図２に示されている発明は排煙脱硝装置の後流側に設けた電気集塵機などで捕集したフライアッシュの中の外表面積が大きく、未燃分の少ないフライアッシュが揮発性金属化合物（Ｈｇ，Ｐｂ，Ａｓ，Ｃｄ等）を比較的多く吸着する性質があることを利用する方法であり、このフライアッシュはサイクロンで捕捉されないので排煙脱硝装置の後流側に設けた電気集塵機で捕集されるものであり、本発明のサイクロン集塵機４で比較的重く粒径の大きい灰だけを捕集する方法とは異なり、また、揮発性金属化合物を多く吸着した外表面積の大きな未燃分の少ないフライアッシュに排ガス中の鉄分が吸着されることは触れられていない。
【００２７】
逆に本発明によって、我々は初めてボイラ排ガス中の灰の中で比較的重く、粒径の大きい灰に大部分の鉄成分が含有されることを見出した。したがって、該鉄成分を含む灰を排煙脱硝装置３の後流側煙道に配置されるサイクロン集塵機４から回収して特許文献２（図２）の排ガス処理システムのように排煙脱硝装置３の前流側煙道に供給すると、排煙脱硝装置３を通過する際に灰中の鉄成分により脱硝触媒が劣化するのを防ぐことができない。
【００２８】
また、本発明では、還元剤注入ノズルをサイクロン集塵機の前流に設置することによって、還元剤と排ガスがサイクロン集塵機内で十分に混合されるため、後流側に図３、図４で説明した混合器（スタティックミキサー）７を設置する必要がない。これによって、従来に比べて圧力損失が小さくなり誘引通風機（ＩＤＦ）の容量を小さくすることが可能となる。
【００２９】
また、サイクロン集塵機４での旋回流によってガス流速の分布が大きくなる場合には、図２に示すとおり、サイクロン集塵機４の後流側の排ガス煙道２に整流板６を設置することによって排ガス流れが整流化される。
【００３０】
サイクロン集塵機４を設置する場合、ボイラ節炭器の出口煙道２（サイクロン集塵機４の入口）のガス流速を通常よりも速くする必要があるが、これは、前記出口煙道２を細くすることによって可能となるだけでなく排煙処理設備のコンパクト化に繋がり有益である。
【００３１】
上述したようにサイクロン集塵機４を排煙脱硝装置３の前流側煙道２内に設置することによって脱硝触媒の劣化防止効果が得られるが、特にボイラ節炭器出口から排煙脱硝装置３に繋がる鉛直上昇煙道２の最下部にサイクロン集塵機４を設置することによって、捕集した灰の取出し、処理が容易となるだけでなく、ボイラ節炭器出口と排煙脱硝装置間の煙道２を細くすることができ、省スペース化が可能となる。
【発明の効果】
【００３２】
請求項１記載の発明によれば、石炭焚き燃焼装置の排ガス中に含まれるＦｅ含有量の多い灰を脱硝触媒の前流側の煙道に設置されるサイクロン集塵機で除去し、サイクロン集塵機より後流側の煙道に設置される機器への悪影響を抑えつつ脱硝触媒への悪影響を抑制することによって、脱硝触媒の長寿命化及びポップコーンアッシュの脱硝触媒中での詰まりによる圧力損失上昇を抑制するのに効果的であり、その後排ガス中のＮＯｘを排煙脱硝装置で効率よく処理することができる。
【００３３】
請求項２記載の発明によれば、請求項１記載の発明の効果に加えて、排ガス中に含まれるＦｅ含有量の多い比較的重い灰を温度域が３５０〜５００℃となる煙道中のサイクロン集塵機で回収することで効果的に比較的重い灰を粗取り可能となる。
【００３４】
請求項３記載の発明によれば、請求項１または２記載の発明の効果に加えて、サイクロン集塵機の前流に還元剤（アンモニア、アンモニア水、尿素水等）の注入ノズルを設けたことによって、還元剤と排ガスがサイクロン集塵機内で十分に混合されるため、後流側に混合器を設置する必要がなく、混合器を設置する従来技術に比べて圧力損失が小さくなり誘引通風機（ＩＤＦ）の容量を小さくすることが可能となる
請求項４記載の発明によれば、請求項１ないし３のいずれかに記載の発明の効果に加えて、還元剤注入ノズルの後流側の煙道に整流板を設けたので、サイクロン集塵機での旋回流によってガス流速の分布が大きくなっても、整流板により排ガス流れが整流化され、脱硝反応が効果的に行われる。
【発明を実施するための最良の形態】
【００３５】
本発明を実施するための最良の形態について以下に説明する。
【実施例１】
【００３６】
以下に本発明の実施例１について図１を用いて説明する。  
燃料である石炭種として東部瀝青炭を用い、その燃焼排ガス中のばいじんは、１５，０００ｍｇ／ｍ3Ｎであり、その内の２０ｗｔ％がポップコーンアッシュ、灰中の鉄（Ｆｅ）含有量は４０ｗｔ％である。
【００３７】
また、ボイラ１の節炭器出口と排煙脱硝装置３の間にある鉛直方向に排ガスが上昇する流路を有する煙道２の最下部にサイクロン集塵機４を設置する。ボイラ節炭器出口から排出された排ガス中の灰のうち、Ｆｅ含有量の多い粒径の大きな重い灰及び殆ど全てのポップコーンアッシュからなる灰（全体の約５０ｗｔ％の灰）がサイクロン集塵機４で除去される。サイクロン集塵機４の前流側の煙道２に設置された還元剤注入ノズル５から前記還元剤が注入され、混合ガスにより排煙脱硝装置３で排ガス中のＮＯｘがＮ2とＨ2Ｏに還元される。
【００３８】
排煙脱硝装置３内の脱硝触媒の空隙率は０．８２であり、比較的軽く粒径の小さいボイラ排ガス中の灰はサイクロン集塵機４で捕集されないで、かつ排煙脱硝装置３内を通過して後流側に設置した電気集塵機（図示せず）で捕集される。
【実施例２】
【００３９】
以下に本発明の実施例２について図２を用いて説明する。  
ボイラ１の節炭器出口と排煙脱硝装置３の間にある鉛直上昇煙道２の最下部にサイクロン集塵機４を設置する。ボイラ節炭器出口から排出された排ガス中の灰のうち、Ｆｅ含有量の多い粒径の大きな重い灰及び殆ど全てのポップコーンアッシュの合計で５０ｗｔ％の灰がサイクロン集塵機４で除去される。サイクロン集塵機４の前流側の煙道２に設置された還元剤注入ノズル５から前記還元剤が注入され、混合ガスにより排煙脱硝装置３で排ガス中のＮＯｘがＮ2とＨ2Ｏに還元される。
【００４０】
このとき煙道中での排ガスの偏流が大きく、排煙脱硝装置３での脱硝性能に影響を及ぼす場合に備えてサイクロン集塵機４の後流側の煙道２に多孔板６を設置している。該多孔板６により煙道２中での排ガスの偏流を無くして排煙脱硝装置３での脱硝性能にばらつきが無いようにする。
【比較例】
【００４１】
以下に本発明の比較例として従来の排ガス処理システムについて図３を用いて説明する。  
ボイラ１の節炭器出口の灰を多く含む排ガスに排煙脱硝装置３の前流側の煙道２内で還元剤注入ノズル５から還元剤が注入され、排ガスと還元剤の混合ガスが排煙脱硝装置３内でガスのＮＯｘがＮ2とＨ2Ｏに還元される。本比較例の排煙脱硝装置３内の脱硝触媒の空隙率は０．８６である。
【００４２】
上記実施例１、実施例２と比較例における各項目の比較を表１に示す。本発明を適用することにより、経時的な脱硝触媒の脱硝性能劣化、ＳＯ2酸化率上昇、及び排煙脱硝装置３での圧力損失の上昇を抑制することが可能となる。
【表１】
2008241061.tif 000003
【産業上の利用可能性】
【００４３】
本発明は鉄分を多く含む石炭を燃料とする燃焼装置の排ガス処理システムに利用可能である。
【図面の簡単な説明】
【００４４】
【図１】本発明の実施例１を示す排煙処理フローである。
【図２】本発明の実施例２を示す排煙処理フローである。
【図３】従来の排煙処理フローを示す。
【図４】従来の排煙処理フロー（還元剤直接噴霧）を示す。
【図５】高ダスト方式石炭燃焼設備のフローを示す。
【図６】低ダスト方式石炭燃焼設備のフローを示す。
【符号の説明】
【００４５】
１  ボイラ                          ２煙道
３  排煙脱硝装置                    ４  サイクロン集塵機
５  還元剤注入ノズル                ６  整流板
７  混合器（スタティックミキサー）  ８  空気予熱器
９  脱硫装置                        １０  煙突
【図１】
2008241061.tif 000004
【図２】
2008241061.tif 000005
【図３】
2008241061.tif 000006
【図４】
2008241061.tif 000007
【図５】
2008241061.tif 000008
【図６】
2008241061.tif 000009